【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
自動車を作製するための、長手方向（Ａ）において全体的に引き伸ばされた形状を有する金属部品（Ｐ）であって、
前記部品の２つの壁（１０、２０、２２、５０）の交差部において、長手方向に伸びた少なくとも１つの端部（１１、１３、２１、２３）と、
前記部品の本体の残りの部分よりも低い機械的強度を有する少なくとも１つの領域（１００）であって、少なくとも１つの領域は、前記部品の局所的な熱の制御によって形成される少なくとも１つの領域と、
を備え、
少なくとも１つの機械的強度の低い領域が、前記端部（１１，１３，２１，２３）に沿って、端部を形成するそれぞれの壁（１０、２０、２２、５０）の少なくとも大部分に交互に伸びるように波のようにうねることを特徴とする金属部品。
【請求項２】
前記部品の局所的な熱の制御は、レーザビームを照射することまたは誘導によって実行され、
任意に、前記レーザビームのスポットサイズが前記レーザビームを照射している間に調整される請求項１に記載の金属部品。
【請求項３】
１つの領域において、前記部品の他の本体の残りよりも低い前記部品の前記機械的強度は、次の３つのパラメータ、降伏限界、引張強度、硬度の少なくとも１つに対応する請求項１または請求項２に記載の金属部品。
【請求項４】
前記部品の本体の前記残りよりも機械的強度が低い少なくとも前記領域は、前記本体の前記残りよりも１０％より大きい低い降伏限界を有する請求項１乃至３のいずれか１項に記載の金属部品。
【請求項５】
前記部品の本体の前記残りよりも機械的強度が低い少なくとも前記領域は、前記本体の前記残りよりも１０％より大きい低い引張強度を有する請求項１乃至４のいずれか１項に記載の金属部品。
【請求項６】
前記端部（１１、１３、２１、２３）に沿って波のようにうねる、前記機械的強度の低い領域（１００）が、前記端部を形成するそれぞれの前記壁の少なくとも大部分に交互に伸び、前記端部に沿ったおおよそ波のうねる周期的なパターンを形成する請求項１乃至５のいずれか１項に記載の金属部品。
【請求項７】
前記機械的強度の低いパターン（１００）の周期は、一定である請求項１乃至６のいずれか１項に記載の金属部品。
【請求項８】
前記機械的強度の低いパターン（１００）の周期は、前記部品の前記長さに沿って一定でない請求項１乃至６のいずれか１項に記載の金属部品。
【請求項９】
前記端部に沿って波のようにうねる、前記端部を形成するそれぞれの前記壁の大部分に交互に伸びる前記機械的強度の低い領域（１００）は、前記端部に沿って機械的強度の低い連続した帯によって形成される請求項１乃至請求項８のいずれか１項に記載の金属部品。
【請求項１０】
前記端部に沿って波のようにうねる、前記端部を形成するそれぞれの前記壁の大部分に交互に伸びる前記機械的強度の低い領域（１００）は、機械的強度の低い連続した間隔の列によって形成される請求項１乃至請求項８のいずれか１項に記載の金属部品。
【請求項１１】
前記端部に沿って波のようにうねる、前記端部を形成するそれぞれの前記壁の大部分に交互に伸びる前記機械的強度の低い領域（１００）は、前記端部に沿って分配された機械的強度の低い帯の連続によって形成され、
２つの機械的強度の低い帯の連続は、機械的に強度の高い中間領域によって分離されている請求項１乃至８または１０のいずれか１項に記載の金属部品。
【請求項１２】
少なくとも、２つの端部（１１、１３、２１、２３）が前記長手方向（Ａ）において、前記２つの端部の間の共通の壁と２つのそれぞれ壁（１０、２０、２２、５０）の前記交差部のそれぞれに伸び、
前記２つの端部のそれぞれに沿って波のようにうねる機械的強度の低い領域（１００）は、前記端部を形成する前記壁のそれぞれの大部分に交互に伸びる請求項１乃至１１のいずれか１項に記載の金属部品。
【請求項１３】
２つの隣り合う端部（１１、１３、２１、２３）に波のようにうねる前記機械的強度の低い領域（１００）のパターンは、同相である請求項１乃至１２のいずれか１項に記載の金属部品。
【請求項１４】
２つの隣り合う端部（１１、１３、２１、２３）に波のようにうねる前記機械的強度の低い領域（１００）のパターンは、逆相である請求項１乃至１２のいずれか１項に記載の金属部品。
【請求項１５】
前記機械的強度の低い領域（１００）に覆われた前記部分は、少なくとも１つの端部が波のようにうねる正弦関数、四角形、三角形またはのこぎり歯形状を備える群から選ばれた周期的な輪郭を有する請求項１乃至１４のいずれか１項に記載の金属部品。
【請求項１６】
２つの端部（１１、１３、２１、２３）の間の前記共通の壁（１０、２０、２２、５０）上であって、前記共通の壁上を伸び、前記２つの端部の両側のそれぞれにおいて、互いに波のようにうねる前記機械的強度の低い領域の２つのパターンの内側の領域に、少なくとも１つの追加の機械的強度の低い領域（１１０）を備える請求項１乃至１５のいずれか１項に記載の金属部品。
【請求項１７】
２つの端部（１１、１３、２１、２３）の間の前記共通の壁（１０、２０、２２、５０）上であって、に形成された少なくとも１つの追加の機械的強度の低い領域（１１０）を備え、
前記追加の機械的強度の低い領域（１１０）は、前記共通な壁上を伸び、前記２つの端部の両側のそれぞれにおいて、互いに波のようにうねる前記機械的強度の低い領域の２つのパターンの内側の領域に接続するように横切って伸びている請求項１乃至１５のいずれか１項に記載の金属部品。
【請求項１８】
機械的強度の低い領域のそれぞれのパターンは、０．２×ｂから１×ｂの範囲、典型的には０．８×ｂに等しい半周期を有し、ここでｂは、反対側の壁（１０、２０、２２、５０）の間の最も大きな距離に対応する請求項１乃至１７のいずれか１項に記載の金属部品。
【請求項１９】
前記端部（１１、１３、２１、２３）に沿って波のようにうねる前記機械的強度の低い領域は前記端部を形成するそれぞれの壁（１０、２０、２２、５０）に大部分は交互に伸び、共通の端部の両側の前記２つの壁に部分的に、パターンの内側のレベルで、伸長の前記第１の軸に対してまっすぐな断面において線形分配され、端部に隣り合う第１の壁において少なくとも６０％、好ましくは少なくとも７０％、端部に隣り合う第２の壁において最大４０％、好ましくは最大３０％が交互に、それから反対に伸びる請求項１乃至１８のいずれか１項に記載の金属部品。
【請求項２０】
機械的強度の低い領域（１００）は、伸長の前記第１の軸を横切る断面における線形分配で、壁の幅の少なくとも１０％、好ましくは少なくとも２５％、この幅の最大で８０％、好ましくは最大で６０％、に広がる請求項１乃至１９のいずれか１項に記載の金属部品。
【請求項２１】
少なくとも１つの機械的強度の低い領域（１００）が、少なくとも１３００ＭＰａ、好ましくは１４００ＭＰａより高い引張強度を有する前記部品の前記残りと比較して、１０００ＭＰａよりも低い引張強度を有する請求項１乃至２０のいずれか１項に記載の金属部品。
【請求項２２】
少なくとも１つの機械的強度の低い領域（１００）は、少なくとも１０００ＭＰａ、好ましくは１１５０ＭＰａより高い降伏限界を有する前記部品の前記残りと比較して、９５０ＭＰａよりも低い降伏限界を有する請求項１乃至２１のいずれか１項に記載の金属部品。
【請求項２３】
少なくとも機械的強度の低い領域（１００）は、次の定義、
４００ＭＰａ＋／−５０ＭＰａの降伏限界及び６００ＭＰａ＋／−５０ＭＰａの引張強度、または、４９０ＭＰａ乃至６００ＭＰａの降伏限界及び７００ＭＰａ乃至８００ＭＰａの引張強度、または、６５０ＭＰａ乃至７５０ＭＰａの降伏限界及び８５０ＭＰａ乃至９５０ＭＰａの引張強度、
を満足し、
前記本体の残りは、
１１５０ＭＰａ＋／−１５０ＭＰａの降伏限界、１５５０ＭＰａ＋／−１５０ＭＰａの引張強度、を満足する請求項１乃至２２のいずれか１項に記載の金属部品。
【請求項２４】
１つの端部（１１、１３、２１、２３）に沿って波のようにうねり、少なくとも前記端部を形成するそれぞれの前記壁（１０、２０、２２、５０）のそれぞれに大部分、交互に伸びる前記機械的強度の低い領域（１００）は、不連続であり、中間物であり、機械的強度の高い領域（１０２）は、前記端部（１１）の両側の２つの壁（２０、５０）に配置されているそれぞれの前記機械的強度の低い領域（１００）の２つの内側に配置されている請求項１乃至２３のいずれか１項に記載の金属部品。
【請求項２５】
１つの端部（１１、１３、２１、２３）に沿って波のようにうねり、少なくとも前記端部を形成する、前記壁（１０、２０、２２、５０）のそれぞれに大部分、交互に伸びる前記機械的強度の低い領域（１００）は、不連続であり、中間物であり、機械的強度の高い領域（１０２）が前記機械的強度の低い輪郭の内側のレベルに配置されている請求項１乃至２３のいずれか１項に記載の金属部品。
【請求項２６】
１つの端部に沿って波のようにうねる機械的強度の低い領域（１００）の輪郭は、正弦曲線の形状の端部の一を有する一方、第２の端部は長方形で、好ましくは、部品の一方の端部に対応する請求項１乃至２５のいずれか１項に記載の金属部品。
【請求項２７】
１つの端部に沿って波のようにうねる機械的強度の低い領域（１００）の輪郭は、２つのおおよそ正弦曲線及び等距離の端部を有する請求項１乃至２５のいずれか１項に記載の金属部品。
【請求項２８】
１つの端部に沿って波のようにうねる機械的強度の低い領域（１００）の輪郭は、前記端部に平行な準線によって平準化されている請求項２６または２７に記載の金属部品。
【請求項２９】
単一の端部に沿って波のようにうねる機械的強度の低い領域（１００）を備える請求項１乃至２８のいずれか１項に記載の金属部品。
【請求項３０】
２つの隣り合う端部に沿ってそれぞれ波のようにうねる少なくとも２つの機械的強度の低い領域（１００）を備える請求項１乃至２８のいずれか１項に記載の金属部品。
【請求項３１】
その端部のそれぞれに沿って波のようにうねる１つの機械的強度の低い領域（１００）を備える請求項１乃至２８または請求項３０のいずれか１項に記載の金属部品。
【請求項３２】
自動車を作製するための、長手方向において全体的に引き伸ばされた形状を有する金属部品の作製方法であって、
前記部品の本体の少なくとも１つの部分を処理し、少なくとも前記部品の本体に少なくとも機械的強度の低い領域（１００）及び相対的に機械的強度の高い領域（１５０）の２つの領域を形成する工程を備え、
上記工程は、部品の２つの壁（１０、２０、２２、５０）の交差部に長手方向において伸びる１つの端部（１１、１３、２１、２３）に沿って波のようにうねる、前記端部（１１、１３、２１、２３）の両側の壁のそれぞれの大部分に交互に伸びる機械的強度の低い領域（１００）を画定することによって実行されることを特徴とする金属部品の作製方法。
【請求項３３】
前記処理は、局所的に前記部品の領域（１００）の機械的強度を減らして、機械的強度の低い領域を形成する処理を備える請求項３２に記載の金属部品の作製方法。
【請求項３４】
前記処理は、少なくとも１つの所望の機械的強度の低い領域（１００）を除いて、前記部品の本体の機械的強度を局所的に増加する処理を備える請求項３２または３３に記載の金属部品の作製方法。